(57)【要約】【課題】  ドア下枠に浴水からの残水が残らない浴室出入口の排水構造の提供。【解決手段】  隣接した浴室１と脱衣室２との間にドア枠３を設け、ドア枠３の下枠３１に下枠３１の長手方向に設けるレール４において、レール４は、下枠３１より上方に立設した立設部４２と立設部４２の上端から脱衣室方向に突出した突起４１をレール４の全長にわたって設け、表面張力及び誘引作用により、突起４１の下方に沿って水が流れることにより、下枠３１の浴水を浴室１に徐々に排水するので、下枠３１の残水である浴水をなくすことができる。【選択図】図１
2006037367.tif 000002
【特許請求の範囲】
【請求項１】
隣接した浴室と脱衣室との間にドア枠を有し、該ドア枠の下枠の長手方向にレールを設け、該レールは、該下枠より上方に立設した立設部と同立設部の上端から脱衣室方向に該レールの全長にわたり突出した突起を有し、表面張力及び誘引作用により、前記下枠と該突起との間に沿って水が流れるものである浴室出入口の排水構造。
【請求項２】
前記レールを浴室側から脱衣室側へ横並びに複数設け、該レールは浴室側のレールが脱衣室側のレールよりも長いことを特徴とする請求項１記載の浴室出入口の排水構造。
【請求項３】
前記ドア枠の縦枠と前記レールとの間の下枠に浴室までの水路を設け、該水路は前記下枠と該突起との間に沿って流れた水を浴室に流すものであることを特徴とする請求項１又は請求項２記載の浴室出入口の排水構造。
【発明の詳細な説明】
【技術分野】
【０００１】
本発明は、隣接した浴室と脱衣室との間のドア枠の下枠に設けられるレールの部位における排水構造に関するものである。
【背景技術】
【０００２】
従来から、浴室と脱衣室との間の仕切り壁に開口した浴室の出入口には、浴室に隣接した脱衣室等の部屋に浴水を侵入させないように扉が開閉自在に配置されると共に、浴室からの浴水を浴室に排水するための排水構造が設けられている。この排水構造は、例えば、浴水をドア下枠の下部から配水管を介して排水したり、ドア下枠から床面の排水溝へ高低差を利用して排水したりするようになっている。
【０００３】
具体的には、特開２００４−８４３３５号公報に記載されている浴室出入口の排水構造がある。この浴室出入口の排水構造は、図示はしないが、隣接した浴室と脱衣室との間の仕切り壁に出入口を開口する。この出入口の脱衣室側に引戸を開閉自在に設けている。
【０００４】
この引戸のガイド用の下レール１０６のガイド突起１２０の長手方向の数ヵ所には水抜き用の切り欠き部１２４が形成され、前記引戸のガイド用の下レール１０６のうち出入口を開けた引戸が収まる部位に排水孔１０７を設ける。また、排水溝１０９には排水溝１４７を設ける。すなわち、水が降りかかった引戸をそのまま戸袋に相当する部位に収め、出入口を閉めた引戸が位置する下レールにこの引戸から浴水が滴り落ちたとしても、浴室１０１からの浴水は、水抜き用の切り欠き部１２４を通って、排水孔１０７、排水溝１４７に流れ込み、そして、浴室側に連通した排水経路を介して浴室に排出されるものである。
【０００５】
しかしながら、一般的に、高低差を利用した排水方法の場合には、レール１０６、排水溝１０９内の水が少なくなれば、水の表面張力によりドア下枠に浴水の残水が残る場合があり、上述した浴室出入口の排水構造でも、浴水が、排水孔１０７、排水溝１４７に流れるまでの経路（領域）において、水の表面張力により浴水の残水が残る場合があった。
【特許文献１】特開２００４−８４３３５号公報
【発明の開示】
【発明が解決しようとする課題】
【０００６】
本願発明は、上記背景技術に鑑みて発明されたものであり、その課題は、ドア下枠に浴水からの残水が残らない浴室出入口の排水構造を提供することである。
【課題を解決するための手段】
【０００７】
上記課題を解決するために、本願発明は、隣接した浴室と脱衣室との間にドア枠を有し、該ドア枠の下枠の長手方向にレールを設け、該レールは、該下枠より上方に立設した立設部と同立設部の上端から脱衣室方向に該レールの全長にわたり突出した突起を有し、表面張力及び誘引作用により、前記下枠と該突起との間に沿って水が流れるものである。
【０００８】
また、前記レールを浴室側から脱衣室側へ横並びに複数設け、該レールは浴室側のレールが脱衣室側のレールよりも長いことが好ましい。
【０００９】
また、前記ドア枠の縦枠と前記レールとの間の下枠に浴室までの水路を設け、該水路は前記下枠と該突起との間に沿って流れた水を浴室に流すものが好ましい。
【発明の効果】
【００１０】
本願発明の浴室出入口の排水構造によれば、レールの突起の下方に水路が形成されるので、表面張力及び誘引作用により、ドア下枠の浴水を浴室の床に徐々に排水されるので、ドア下枠の残水である浴水をなくすことができ、また、ドア枠に高低差をもたせる必要がなくなる。
【発明を実施するための最良の形態】
【００１１】
本願の第１の実施形態の浴室出入口の排水構造を図１及び図２に基づいて説明する。図１は第１の実施形態に係る浴室出入口の排水構造の概略斜視図、図２は（ａ）は同上のＡ−Ａの断面図、（ｂ）は、同上のレールの拡大断面図である。この実施の形態の浴室出入口の排水構造は、隣接した浴室１と脱衣室２との間にドア枠３を有し、ドア枠３の下枠３１の長手方向にレール４を設け、レール４は、該下枠より上方に立設した立設部４２と立設部４２の上端から脱衣室２方向にレール４の全長にわたり突出した突起４１を有し、表面張力及び誘引作用により、下枠３１と突起４１との間に沿って水が流れるものである。
【００１２】
浴室１は、例えば、床パンの外縁に壁パネルを立設してなるユニットルームで構成されている。この浴室１の脱衣室２に隣接する壁パネルには浴室開口部が開口され、また、脱衣室２の浴室１に隣接する壁には浴室開口部と同等に形成した脱衣室開口部が開口し、浴室開口部と連通させている。
【００１３】
ドア枠３は、浴室開口部と脱衣室開口部との間に設けられており、浴室開口部と脱衣室開口部とを連通する出入口が設けられている。この出入り口にドア枠３が形成されている。そして、下枠３１には、下枠３１の長手方向に亘って、レール４が設けられている。
【００１４】
レール４は、下枠３１の長手方向に沿って立設される立設部４２と、この立設部４２の上端部から脱衣室方向に突出した突起４１と、から構成されている。浴室１からの浴水１１が下枠３１に浸水した場合は、図２（ｂ）に示すように、表面張力により突起４１と下枠３１との間に浴水１１が溜まることにより、水路４３ができる。この水路４３は、下枠３１と突起４１との間に沿って、浴水１１を浴室１流すためのものである。
【００１５】
なお、脱衣室２は、浴室１より高い位置に設けられており、浴水１１が脱衣室２に流れにくいようになっている。
【００１６】
このように構成された浴室出入口の排水構造は、浴室１からの浴水１１が下枠３１に浸水した場合、浴水１１が突起４１と下枠３１との間に水路４３が確保される。
【００１７】
従って、下枠３１に浸水した浴水１１は、表面張力及び誘引作用により、突起４１と下枠３１の間に形成された水路４３を介して浴室１の床に徐々に排水されるので、下枠３１の残水である浴水１１をなくすことができる。更に、ドア枠３に高低差をもたせる必要がなくなる。
【００１８】
本願の第２の実施形態の浴室出入口の排水構造を図３に基づいて説明する。図３は第２の実施形態に係る浴室出入口の排水構造の概略上面図である。この実施形態は、前述した第１の実施形態とはレール４の形状のみ変えたものであり、それら以外の構成要素は第１の実施形態と同様であるので説明は省略する。
【００１９】
レール４は、図３に示すように、下枠３１に３本のレール４ａ、４ｂ、４ｃが設けられ、浴室１側のレールが脱衣室２側のレールよりも長くなっている。すなわち、レールの長さを、４ａ＜４ｂ＜４ｃの関係にすることにより、脱衣室２側のレール４ｃの浴水１１が先に排出されるようにしたものである。
【００２０】
このように構成された浴室出入口の排水構造は、浴室１からの浴水１１が下枠３１に浸水した場合、浴水１１が最初に脱衣室２側のレール４ｃの水路４３を介して浴室１方向に流れ、次に、レール４ｂの水路４３を介して浴室１方向に流れ、そして、レール４ａの水路４３を介して浴室１に排出される。
【００２１】
従って、下枠３１に浸水した浴水１１は、下枠３１の残水である浴水１１をなくすことができる。更に、ドア枠３に高低差をもたせる必要がなくなる。
【００２２】
本願の第３の実施形態の浴室出入口の排水構造を図４に基づいて説明する。図４は第３の実施形態に係る浴室出入口の排水構造の概略上面図である。この実施形態は、前述した第１の実施形態とはレール４の形状のみ変えたものであり、それら以外の構成要素は第１の実施形態と同様であるので説明は省略する。
【００２３】
レール４は、図４に示すように、下枠３１に３本のレール４ａ、４ｂ、４ｃが設けられ、それぞれのレール４に切り欠き４４ａ、４４ｂ、４４ｃが設けている。この切り欠きは、脱衣室２側の切り欠きが浴室１側の切り欠きよりも大きくなっている。すなわち、切り欠きの大きさを、４４ａ＞４４ｂ＞４４ｃの関係にすることにより、脱衣室２側のレール４ｃが浴水１１を早く排出されるようにしたものである。
【００２４】
このように構成された浴室出入口の排水構造は、浴室１からの浴水１１が下枠３１に浸水した場合、浴水１１が最初に脱衣室２側のレール４ｃの水路４３を介して浴室１方向に流れ、次に、レール４ｂの水路４３を介して浴室１方向に流れ、そして、レール４ａの水路４３を介して浴室１に排出される。
【００２５】
従って、下枠３１に浸水した浴水１１は、下枠３１の残水である浴水１１をなくすことができる。更に、ドア枠３に高低差をもたせる必要がなくなる。
【００２６】
本願の第４の実施形態の浴室出入口の排水構造を図５に基づいて説明する。図５（ａ）は第４の実施形態に係る浴室出入口の排水構造の概略斜視図、（ｂ）は同上の溝の断面図である。この実施形態は、前述した第１の実施形態とは下枠３１のレール４と縦枠３２の間に水路５を設けたものであり、それら以外の構成要素は第１の実施形態と同様であるので説明は省略する。
【００２７】
水路５は、レール４の長手側の端部４５と縦枠３２との間の下枠３１に浴室まで設けた溝である。この水路５は、溝内の表面張力により水路が形成され、レール４の水路４３より流れた浴水１１を浴室１に排出するためのものである。
【００２８】
このように構成された浴室出入口の排水構造は、浴室１からの浴水１１が下枠３１に浸水した場合、浴水１１が、レール４の水路４３、水路５を介して浴室１に排出される。
【００２９】
従って、下枠３１に浸水した浴水１１は、下枠３１の残水である浴水１１をなくすことができる。更に、ドア枠３に高低差をもたせる必要がなくなる。
【００３０】
本願の第５の実施形態の浴室出入口の排水構造を図６に基づいて説明する。図６は第５の実施形態に係る浴室出入口の排水構造の概略斜視図である。この実施形態は、前述した第１の実施形態とは、水路を部材５１で設けたものであり、これ以外の構成要素は第１の実施形態と同様であるので説明は省略する。
【００３１】
水路５は、長尺物の部材５１を浴室１と浴室１側のレール４と平行に設置し、縦枠３２と部材５１との間に溝形状を形成し、この溝形状内の表面張力により水路を形成したものである。
【００３２】
このように構成された浴室出入口の排水構造は、浴室１からの浴水１１が下枠３１に浸水した場合、浴水１１が、レール４の水路４３、水路５を介して浴室１に排出される。
【００３３】
従って、下枠３１に浸水した浴水１１は、下枠３１の残水である浴水１１をなくすことができる。更に、ドア枠３に高低差をもたせる必要がなくなる。
【００３４】
本願の第６の実施形態の浴室出入口の排水構造を図７に基づいて説明する。図７は第６の実施形態に係る浴室出入口の排水構造の概略斜視図である。この実施形態は、前述した第１の実施形態とは、水路に突起形状物５２で設けたものであり、これ以外の構成要素は第１の実施形態と同様であるので説明は省略する。
【００３５】
突起形状物５２は、長方形の略板状であり、レール４の突起４１の高さと略同じに下枠３１と平行に設けられている。また、突起形状物５２の長手方向の大きさは、略ドア枠３の浴室側からレール４ａの立設部４２と同じ位置まで、短手方向の大きさは、縦枠３２からレール４ａの端部までの大きさになっている。この突起形状物５２は、図７（ｂ）に示すように、表面張力により突起４１と下枠３１との間に浴水１１が溜まることにより、水路５が形成される。
【００３６】
このように構成された浴室出入口の排水構造は、浴室１からの浴水１１が下枠３１に浸水した場合、浴水１１が、レール４の水路４３、水路５を介して浴室１に排出される。
【００３７】
従って、下枠３１に浸水した浴水１１は、下枠３１の残水である浴水１１をなくすことができる。更に、ドア枠３に高低差をもたせる必要がなくなる。
【００３８】
なお、図８に示すように、突起形状物５２の下側に吸収材料５３を設けて、水路を確保しても良い。この場合は、吸収材料５３が水路を形成する。
【００３９】
このように構成された浴室出入口の排水構造は、浴室１からの浴水１１が下枠３１に浸水した場合、浴水１１が、レール４の水路４３、水路５を介して浴室１に排出される。
【００４０】
従って、下枠３１に浸水した浴水１１は、下枠３１の残水である浴水１１をなくすことができる。更に、ドア枠３に高低差をもたせる必要がなくなる。
【図面の簡単な説明】
【００４１】
【図１】本発明の第１の実施形態に係る浴室出入口の排水構造の概略斜視図である。
【図２】（ａ）は同上のＡ−Ａの断面図、（ｂ）は、レールの拡大断面図である。
【図３】本発明の第２の実施形態に係る浴室出入口の排水構造の概略上面図である。
【図４】本発明の第３の実施形態に係る浴室出入口の排水構造の概略上面図である。
【図５】（ａ）は本発明の第４の実施形態に係る浴室出入口の排水構造の概略上面図、（ｂ）は同上の水路の断面図である。
【図６】本発明の第５の実施形態に係る浴室出入口の排水構造の概略上面図である。
【図７】（ａ）は本発明の第６の実施形態に係る浴室出入口の排水構造の概略斜視図、（ｂ）は同上の水路の断面図である。
【図８】同上の水路に吸収材料を使用した場合の浴室出入口の排水構造の概略上面図である。
【図９】特開２００４−８４３３５号公報に記載された浴室出入口の排水構造の斜視図である。
【符号の説明】
【００４２】
１    浴室
２    脱衣室
３    ドア枠
３１  下枠
３２  縦枠
４    レール
４１  突起
４２  立設部
５    水路
【図１】
2006037367.tif 000003
【図２】
2006037367.tif 000004
【図３】
2006037367.tif 000005
【図４】
2006037367.tif 000006
【図５】
2006037367.tif 000007
【図６】
2006037367.tif 000008
【図７】
2006037367.tif 000009
【図８】
2006037367.tif 000010
【図９】
2006037367.tif 000011